(57)【要約】【課題】無線網制御局とを結ぶ有線伝送路の種別変更に対して容易に対応可能な、インタフェース部を、小型・低コスト化した無線基地局を実現する。【解決手段】有線伝送路種別ごとのインタフェース用ハードウェアデバイスを搭載したＩ／Ｆ部１００Ａ、１００Ｂを設け、これらデバイスごとのソフトウェアドライバやその選択手段を有線伝送路部１０１に設ける。選択手段は、Ｉ／Ｆ部１００Ａ、１００Ｂに設けた有線伝送路種別を示すビット信号、もしくは有線伝送路部１０１に設けたＦＰＧＡ、ディップスイッチ等の設定手段の設定内容を読み込んで種別判定を行う。【選択図】　　　　図１
2004088557.tif 000002
【特許請求の範囲】
【請求項１】
移動体通信システムの無線網制御局と有線伝送路を介して接続される無線基地局装置であって、
複数種の有線伝送路の各々に対応したインタフェース用ハードウェアとそのハードウェアがどの有線伝送路種別に対応しているかを示すビット信号出力端子を備えたインタフェースデバイスと、
このインタフェースデバイスの各々に対応したソフトウェアドライバと、前記ビット信号出力端子の信号を取り込んで接続されている有線伝送路の種別を判定しその判定結果に応じた前記ソフトウェアドライバを選択／起動する共通制御手段とを備えた有線伝送路部と、
を備えた無線基地局装置。
【請求項２】
移動体通信システムの無線網制御局と有線伝送路を介して接続される無線基地局装置であって、
複数種の有線伝送路の各々に対応したインタフェース用ハードウェアを搭載したインタフェースデバイスと、
このインタフェースデバイスの各々に対応したソフトウェアドライバ、接続されている有線伝送路の種別を設定するための種別設定手段、及びこの手段に設定された有線伝送路種別を取り込んで接続されている有線伝送路の種別を判定しその判定結果に応じた前記ソフトウェアドライバを選択／起動する共通制御手段を備えた有線伝送路部と、
を備えた無線基地局装置。
【発明の詳細な説明】
【０００１】
【発明の属する技術分野】
本発明は無線基地局装置に係り、とくに携帯電話システムなどの移動体通信システムで用いられる無線基地局装置に関するものである。
【０００２】
【従来の技術】
移動通信システムは、図２に示したように、移動局２０１、２０１…がそれぞれの使用位置をカバーする無線基地局２０２を介して無線網制御局２０３と接続され、無線網制御局２０３は交換局２０４経由でネットワーク２０５に接続されている。このようなシステムで、無線網制御局２０３と無線基地局２０２の各々とは、有線伝送路で接続されることが多く、有線伝送路としては、所要の通信容量や利用可能な概説回線等に応じて同軸ケーブルや光ケーブルが用いられる。
【０００３】
上述した無線網制御局と無線基地局とを結ぶ有線伝送路は、所要の伝送容量の変化等に対する設備変更に伴って、例えば同軸ケーブルから光ケーブルへ変更されることがある。このためには、有線伝送路自体の取り換えや増設とともに、無線網制御局や無線基地局の有線伝送路とのインタフェースも変更しなければならない。図３は、このような有線伝送路変更に対応可能な無線基地局装置の従来の構成例を示したもので、有線伝送路部３０１Ａ、３０１Ｂ、伝送路信号切替機能部３０２、無線信号分離処理部３０３、無線送受信部３０４、無線増幅器３０５、呼処理制御部３０６、保守監視処理部３０７、記憶部３０８を備えている。
【０００４】
図３の構成で、ＡＴＭレイヤの信号（ＡＴＭセル、これは有線伝送路の種別には関係ない信号）を各機能部に振り分ける伝送路信号切替機能部３０２から無線増幅器３０５に至る経路の各部、及び呼処理制御部３０６、保守監視処理部３０７、記憶部３０８はすべて有線伝送路が異なっても同じ構成の機能部であり、有線伝送路部３０１Ａ、３０１Ｂのみが有線伝送路の種別に対応した構成をもっていて、複数の有線伝送路に対応できるようになっている。ここで有線伝送路部３０１Ａ、３０１Ｂの各々は、それぞれ１つの基板で構成されていて、該当する有線伝送路とのコネクタや増幅器、ＣＰＵなどのハードウェアデバイスが搭載され、このデバイス駆動用のドライバソフトがインストールされている。また、有線伝送路の故障検出や警報出力を行うソフトウェアも各基板に搭載されている。
【０００５】
【発明が解決しようとする課題】
上記した従来技術では、有線伝送路の種別ごとに上記のような基板が１枚づつ設置されているが、そのためには用意する基板の枚数に応じたスペースとコストが必要となり、また予め用意した基板のみでシステム変更に対応できないときには、新たに基板を用意するとともに、その設置スペースを確保しなければならない。従って、有線伝送路ごとに必要とする装置を可能な限り小型・低コスト化し、かつシステム変更にも容易に対応できるようにすることが求められている。
【０００６】
本発明の目的は、有線伝送路の種別対応で用意するユニットを可能な限り小型・低コスト化し、その所要設置スペースを容易に確保できるような構成の無線基地局装置を提供することにある。
【０００７】
【課題を解決するための手段】
本発明は、移動体通信システムの無線網制御局と有線伝送路を介して接続される無線基地局装置であって、
複数種の有線伝送路の各々に対応したインタフェース用ハードウェアとそのハードウェアがどの有線伝送路種別に対応しているかを示すビット信号出力端子を備えたインタフェースデバイスと、
このインタフェースデバイスの各々に対応したソフトウェアドライバと、前記ビット信号出力端子の信号を取り込んで接続されている有線伝送路の種別を判定しその判定結果に応じた前記ソフトウェアドライバを選択／起動する共通制御手段とを備えた有線伝送路部と、
を備えた無線基地局装置を開示する。
【０００８】
また本発明は、移動体通信システムの無線網制御局と有線伝送路を介して接続される無線基地局装置であって、
複数種の有線伝送路の各々に対応したインタフェース用ハードウェアを搭載したインタフェースデバイスと、
このインタフェースデバイスの各々に対応したソフトウェアドライバ、接続されている有線伝送路の種別を設定するための種別設定手段、及びこの手段に設定された有線伝送路種別を取り込んで接続されている有線伝送路の種別を判定しその判定結果に応じた前記ソフトウェアドライバを選択／起動する共通制御手段を備えた有線伝送路部と、
を備えた無線基地局装置を開示する。
【０００９】
【発明の実施の形態】
以下、本発明の実施の形態を説明する。図１は、本発明になる無線基地局装置の構成例を示す機能ブロック図で、伝送路信号切替機能部１０２、無線信号分離処理部１０３、無線送受信部１０４、無線増幅器１０５、呼処理制御部１０６、保守監視処理部１０７、及び記憶部１０８は、図３の同名の各機能部と同じものである。従来の図３と異なっているのは、図３の有線伝送路部３０１Ａ、３０１Ｂが、有線伝送路対応に設けられた有線伝送路Ｉ／Ｆ部１００Ａ、１００Ｂと、各有線伝送路種別に共通の有線伝送路部１０１に置き換えられている点である。
【００１０】
有線伝送路Ｉ／Ｆ部１００Ａ、１００Ｂは、図３の従来の有線伝送路部３０１Ａ、３０１Ｂ等のＩ／Ｆデバイス（ハードウェア）で構成される。例えば光ケーブル対応の有線伝送路Ｉ／Ｆ部であれば、光ケーブル用コネクタ、光／電、電／光変換器、増幅器や信号処理回路、有線伝送路部１０１とのコネクタ等である。一方、各有線伝送路種別に共通の有線伝送路部１０１には、有線伝送路Ｉ／Ｆ部１００Ａ、１００Ｂの各々のＩ／Ｆデバイスを駆動するためのＩ／Ｆドライバ（ソフトウェア）の各々と、これらＩ／Ｆドライバを有線伝送路種別に応じて選択／起動するための共通制御手段、伝送路の監視、警報出力などを行うソフトウェアと、有線伝送路Ｉ／Ｆ部の各々との接続を行うコネクタを備えている。このように有線伝送路種別により異なる構成のＩ／Ｆデバイスのみを有線伝送路種別ごとに設置し、Ｉ／Ｆデバイスそれぞれのドライバソフトや有線伝送路種別に依存しない部分を１つの有線伝送路部１０１にまとめることで、有線伝送路種別ごとに設置するユニットの小型・低コスト化をはかっている。
【００１１】
各Ｉ／Ｆデバイス用のドライバソフトを有線伝送路部１０１にまとめて搭載しているから、有線伝送路部１０１では、実際に接続されている有線伝送路の種別に応じて対応するドライバを選択し起動する共通制御手段が必要となる。このためには、接続されている有線伝送路の種別を判定する機構があればよいが、この有線伝送路種別判定機構としては、例えば各有線伝送路Ｉ／Ｆデバイスのユニットに数ビットの信号端子を設けてその各ビットの「Ｈｉｇｈ」「Ｌｏｗ」レベルで有線伝送路種別を示すようにしておく。そして、あるＩ／Ｆデバイスが有線伝送路部１０１と接続されると、この信号端子を有線伝送路部１０１のＣＰＵのＩ／Ｏポートへ取り込んで判定を行う。図４は３種の有線伝送路がありうる場合、３ビットの信号端子のＨ（Ｈｉｇｈ）、Ｌ（Ｌｏｗ）をポート０〜２へ対応させたときの例で、この信号に応じたドライバが選択される。
【００１２】
有線伝送路種別判定機構の別の例としては、有線伝送路部１０１にＦＰＧＡ（Ｆｉｅｌｄ　Ｐｒｏｇｒａｍｍａｂｌｅ　Ｇａｔｅ　Ａｒｒａｙ）又はディップスイッチを搭載しておき、その設定値をシステム新設時や更新時に有線伝送路種別対応の値としておく。そしてこの設定値をＣＰＵが読み込むことで有線伝送路種別対応のドライバを選択するようにしてもよい。
【００１３】
図５は、図１の無線基地局装置立ち上げ時の無線網制御局との接続確立までの動作を示すフローチャートで、無線基地局装置の電源がＯＮされると、前記の共通制御手段が有線伝送路種別判別機構を用いて現在接続されている有線伝送路の種別を判定し（ステップ５０１）、対応するＩ／Ｆドライバを起動する（ステップ５０２）。次いでこのドライバによる対応Ｉ／Ｆデバイスの初期化、動作設定、割込み設定を行い（ステップ５０３〜５０５）、これらが正常に終了すると無線網制御局装置より無線基地局との接続を有効にする通知が行われ（ステップ５０６）、これをうけて無線基地局装置で接続設定が行われ（ステップ５０７）、接続が完了する。
【００１４】
【発明の効果】
本発明によれば、システム変更に伴う有線伝送路種別の変更の際に、その有線伝送路に対応するインタフェースのハードウェアデバイスのみから成る小型・低コスト化されたユニットを準備しておくかそのユニット交換のみで対応でき、無線基地局有線伝送路種別変更に対する柔軟性が増大し、省スペース化・低コスト化に有効である。
【図面の簡単な説明】
【図１】本発明になる無線基地局装置の構成例を示す機能ブロック図である。
【図２】移動体通信システムの概略構成を示すブロック図である。
【図３】従来の無線基地局装置の構成例を示す機能ブロック図である。
【図４】有線伝送路種別判定に用いる信号の例である。
【図５】図１の無線基地局装置立ち上げ時の制御フローチャートである。
【符号の説明】
１００Ａ、１００Ｂ　有線伝送路Ｉ／Ｆ部
１０１　有線伝送路部
２０２　無線基地局
２０３　無線網制御局
【図１】
2004088557.tif 000003
【図２】
2004088557.tif 000004
【図３】
2004088557.tif 000005
【図４】
2004088557.tif 000006
【図５】
2004088557.tif 000007